(57)【特許請求の範囲】
【請求項１】
アクセスポイントが伝送するビーコン（ｂｅａｃｏｎ）に含まれたＴＩＭ（Ｔｒａｆｆｉｃ  Ｉｎｄｉｃａｔｉｏｎ  Ｍａｐ）情報を受信する段階と、
前記ＴＩＭ情報に基づいて決定され端末に割り当てられたチャネルアクセススロットで、前記アクセスポイントに、ＰＳ（Ｐｏｗｅｒ  Ｓａｖｅ）−Ｐｏｌｌフレーム又はトリガーフレームを伝送する段階と、
前記アクセスポイントから前記ＰＳ−Ｐｏｌｌフレーム又は前記トリガーフレームに対応するデータフレーム伝送時間情報を受信する段階と、を含み、
前記データフレーム伝送時間情報は、前記ＰＳ−Ｐｏｌｌフレーム又は前記トリガーフレームに対応するＡＣＫ（ａｃｋｎｏｗｌｅｄｇｅｍｅｎｔ）フレームに含まれることを特徴とする端末によるスロットを介したチャネルアクセスを実行する方法。
【請求項２】
前記端末に割り当てられた前記チャネルアクセススロットは、前記ＴＩＭ情報に含まれた前記端末のＡＩＤ（ａｓｓｏｃｉａｔｉｏｎ  ＩＤ）位置に基づいて決定されることを特徴とする、請求項１に記載の方法。
【請求項３】
前記チャネルアクセススロットは、前記端末の前記ＰＳ−Ｐｏｌｌフレーム又は前記トリガーフレームの伝送のため限定された長さ内で構成されることを特徴とする、請求項１に記載の方法。
【請求項４】
前記データフレーム伝送時間で前記アクセスポイントから前記データフレームを受信する段階をさらに含むことを特徴とする、請求項１に記載の方法。
【請求項５】
端末に対するＴＩＭ（Ｔｒａｆｆｉｃ  Ｉｎｄｉｃａｔｉｏｎ  Ｍａｐ）情報が含まれたビーコン（ｂｅａｃｏｎ）を伝送する段階と、
前記ＴＩＭ情報に基づいて決定され前記端末に割り当てられたチャネルアクセススロットで、前記端末から、ＰＳ（Ｐｏｗｅｒ  Ｓａｖｅ）−Ｐｏｌｌフレーム又はトリガーフレームを受信する段階と、
前記ＰＳ−Ｐｏｌｌフレーム又は前記トリガーフレーム対応するデータフレーム伝送時間情報を前記端末に伝送する段階と、を含み、
前記データフレーム伝送時間情報は、前記ＰＳ−Ｐｏｌｌフレーム又は前記トリガーフレームに対応するＡＣＫ（ａｃｋｎｏｗｌｅｄｇｅｍｅｎｔ）フレームに含まれることを特徴とするアクセスポイントが端末のスロットを介したチャネルアクセスを支援する方法。
【請求項６】
前記ＴＩＭ情報に含まれた前記端末のＡＩＤ（ａｓｓｏｃｉａｔｉｏｎ  ＩＤ）位置に基づいて前記端末に割り当てられたチャネルアクセススロットが決定されることを特徴とする請求項５に記載の方法。
【請求項７】
前記チャネルアクセススロットは、前記端末の前記ＰＳ−Ｐｏｌｌフレーム又は前記トリガーフレームの伝送のため限定された長さ内で構成されることを特徴とする請求項５に記載の方法。
【請求項８】
前記データフレーム伝送時間で前記端末にデータフレームを伝送する段階をさらに含むことを特徴とする請求項５に記載の方法。
【請求項９】
スロットを介したチャネルアクセスを実行する端末であって、
トランシーバと
プロセッサとを含み、
前記プロセッサは、
前記トランシーバを用いて、アクセスポイントによって伝送されるビーコン（ｂｅａｃｏｎ）に含まれるＴＩＭ（Ｔｒａｆｆｉｃ  Ｉｎｄｉｃａｔｉｏｎ  Ｍａｐ）情報を受信し、
前記トランシーバを用いて、前記アクセスポイントに、前記ＴＩＭ情報に基づいて決定され前記端末に割り当てられたチャネルアクセススロットで、ＰＳ（Ｐｏｗｅｒ  Ｓａｖｅ）−Ｐｏｌｌフレーム又はトリガーフレームを伝送し、
前記トランシーバを用いて、前記アクセスポイントから、前記ＰＳ−Ｐｏｌｌフレーム又は前記トリガーフレームに対応するデータフレーム伝送時間情報を受信するように構成され、
前記データフレーム伝送時間情報は、前記ＰＳ−Ｐｏｌｌフレーム又は前記トリガーフレームに対応するＡＣＫ（ａｃｋｎｏｗｌｅｄｇｅｍｅｎｔ）フレームに含まれることを特徴とする端末。
【請求項１０】
端末によるスロットを介したチャネルアクセスを支援するアクセスポイントであって、
トランシーバと
プロセッサとを含み、
前記プロセッサは、
前記トランシーバを用いて、前記端末に対するＴＩＭ（Ｔｒａｆｆｉｃ  Ｉｎｄｉｃａｔｉｏｎ  Ｍａｐ）情報を含むビーコン（ｂｅａｃｏｎ）を伝送し、
前記トランシーバを用いて、前記端末から、前記ＴＩＭ情報に基づいて決定され前記端末に割り当てられたチャネルアクセススロットで、ＰＳ（ＰｏｗｅｒＳａｖｅ）−Ｐｏｌｌフレーム又はトリガーフレームを受信し、
前記トランシーバを用いて、前記端末に、前記ＰＳ−Ｐｏｌｌフレーム又は前記トリガーフレームに対応したデータフレーム伝送時間情報を伝送するように構成され、
前記データフレーム伝送時間情報は、前記ＰＳ−Ｐｏｌｌフレーム又は前記トリガーフレームに対応するＡＣＫ（ａｃｋｎｏｗｌｅｄｇｅｍｅｎｔ）フレームに含まれることを特徴とするアクセスポイント。
【発明の詳細な説明】
【技術分野】
【０００１】
本発明は、チャネルアクセス方法に関し、より詳細には、無線ＬＡＮシステムにおいてアクセスポイントと端末との間のチャネルアクセス方法に関する。
【背景技術】
【０００２】
情報通信技術の発展に伴い、多様な無線通信技術が開発されている。このうち無線ＬＡＮ（ｗｉｒｅｌｅｓｓ  ｌｏｃａｌ  ａｒｅａ  ｎｅｔｗｏｒｋ、ＷＬＡＮ）は、無線周波数技術に基づいて個人用携帯情報端末機（ｐｅｒｓｏｎａｌ  ｄｉｇｉｔａｌ  ａｓｓｉｓｔａｎｔ、ＰＤＡ）、ラップトップコンピュータ（ｌａｐｔｏｐ  ｃｏｍｐｕｔｅｒ）、携帯型マルチメディアプレーヤー（ｐｏｒｔａｂｌｅ  ｍｕｌｔｉｍｅｄｉａ  ｐｌａｙｅｒ、ＰＭＰ）などのような携帯型端末機を用いて家庭や企業または特定サービス提供地域において無線でインターネットに接続できるようにする技術である。
【０００３】
無線ＬＡＮ技術に対する標準は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１標準として開発されている。ＩＥＥＥ  ８０２．１１ａは、５ＧＨｚで非認可帯域（ｕｎｌｉｃｅｎｓｅｄ  ｂａｎｄ）を利用して、５４Ｍｂｐｓの伝送速度を提供する。ＩＥＥＥ  ８０２．１１ｂは、２．４ＧＨｚで直接シーケンス方式（ｄｉｒｅｃｔ  ｓｅｑｕｅｎｃｅｓｐｒｅａｄ  ｓｐｅｃｔｒｕｍ、ＤＳＳＳ）を適用して、１１Ｍｂｐｓの伝送速度を提供する。ＩＥＥＥ ８０２．１１ｇは、２．４ＧＨｚで直交周波数分割多重化（ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ）を適用して、５４Ｍｂｐｓの伝送速度を提供する。ＩＥＥＥ ８０２．１１ｎは、多重入出力ＯＦＤＭ（ｍｕｌｔｉｐｌｅ  ｉｎｐｕｔ  ｍｕｌｔｉｐｌｅ  ｏｕｔｐｕｔ−ＯＦＤＭ、ＭＩＭＯ−ＯＦＤＭ）を適用して、４個の空間的なストリーム（ｓｐａｔｉａｌ  ｓｔｒｅａｍ）に対して３００Ｍｂｐｓの伝送速度を提供する。ＩＥＥＥ ８０２．１１ｎでは、チャネル帯域幅（ｃｈａｎｎｅｌ  ｂａｎｄｗｉｄｔｈ）を４０ＭＨｚまで支援し、この場合、６００Ｍｂｐｓの伝送速度を提供する。
【０００４】
このような無線ＬＡＮの普及が加速化して、これを利用したアプリケーションが多様化されるにつれて、ＩＥＥＥ ８０２．１１ｎが支援するデータ処理速度よりもさらに高い処理率を支援するための新しい無線ＬＡＮ技術に対する必要性が増大している。超高処理率（ｖｅｒｙ  ｈｉｇｈ  ｔｈｒｏｕｇｈｐｕｔ、ＶＨＴ）無線ＬＡＮ技術は、１Ｇｂｐｓ以上のデータ処理速度を支援するために提案されているＩＥＥＥ ８０２．１１無線ＬＡＮ技術中の１つである。そのうち、ＩＥＥＥ ８０２．１１ａｃは、６ＧＨｚ以下の帯域で超高処理率提供のための標準として開発されており、ＩＥＥＥ ８０２．１１ａｄは、６０ＧＨｚ帯域で超高処理率提供のための標準として開発されている。
【０００５】
このような無線ＬＡＮ技術に基づくシステムにおいて、節電モード（ｐｏｗｅｒ  ｓａｖｉｎｇ  ｍｏｄｅ、ＰＳＭ）で動作する端末は、アクセスポイント（ａｃｃｅｓｓ  ｐｏｉｎｔ）にバッファリング（ｂｕｆｆｅｒｉｎｇ）されたデータの受信のためにＰＳ（ｐｏｗｅｒｓａｖｅ）−Ｐｏｌｌフレーム（ｆｒａｍｅ）を当該アクセスポイントに伝送する。この際、複数のＰＳ−Ｐｏｌｌフレームが同時に伝送される場合、端末間のチャネル接続競争及びＰＳ−Ｐｏｌｌフレーム間の衝突が発生する。これによって、端末は、データ受信の成功まで解除状態を持続するか、または衝突によって伝送されないＰＳ−Ｐｏｌｌフレームの再伝送を繰り返して行わなければならないので、多量の電力が消耗する問題点がある。
【発明の概要】
【発明が解決しようとする課題】
【０００６】
前述のような問題点を解決するために、本発明の目的は、伝送区間に対するスケージュリング情報に基づいてチャネルにアクセスするための端末のチャネルアクセス方法を提供することにある。
【０００７】
前述のような問題点を解決するために、本発明の他の目的は、伝送区間に対するスケージュリング情報に基づいてチャネルにアクセスするためのアクセスポイントのチャネルアクセス方法を提供することにある。
【０００８】
前述のような問題点を解決するために、本発明のさらに他の目的は、伝送区間に対するスケージュリング情報に基づいてチャネルにアクセスするための端末の連結設定方法を提供することにある。
【課題を解決するための手段】
【０００９】
前記目的を達成するための本発明の一実施例による端末のチャネルアクセス方法は、アクセスポイントが伝送するビーコンに含まれたＴＩＭ情報を受信する段階と、前記ＴＩＭ情報に基づいて自分に割り当てられたチャネルアクセススロットを判断する段階と、前記チャネルアクセススロットで前記アクセスポイントにデータ伝送要請を伝送する段階と、前記アクセスポイントから前記データ伝送要請に対応するデータ伝送スロット割り当て情報を受信する段階とを含む。
【００１０】
ここで、前記端末は、前記ＴＩＭ情報に含まれた前記端末のＡＩＤ位置に基づいて前記自分に割り当てられたチャネルアクセススロットを判断することができる。
【００１１】
ここで、前記データ伝送要請は、ＰＳ−Ｐｏｌｌフレームであることができる。
【００１２】
ここで、前記チャネルアクセススロットは、ＰＳ−Ｐｏｌｌフレーム伝送時間、ＳＩＦＳ及びＡＣＫ受信時間を合わせた時間に相当する長さを有することができる。
【００１３】
ここで、前記データ伝送スロット割り当て情報は、前記データ伝送要請に対応するＡＣＫフレームに含まれて受信され得る。
【００１４】
ここで、前記データ伝送スロットで前記アクセスポイントから前記データ伝送要請に対応するデータを受信する段階をさらに含むことができる。
【００１５】
前記他の目的を達成するための本発明の実施例によるアクセスポイントのチャネルアクセス方法は、端末に対するＴＩＭ情報が含まれたビーコンを伝送する段階と、前記ＴＩＭ情報に基づいて前記端末に割り当てられたチャネルアクセススロットでデータ伝送要請を前記端末から受信する段階と、前記データ伝送要請に対応して前記端末に割り当てられたデータ伝送スロット割り当て情報を前記端末に伝送する段階とを含む。
【００１６】
ここで、前記ＴＩＭ情報に含まれた前記端末のＡＩＤ位置に基づいて前記端末に割り当てられたチャネルアクセススロットが決定され得る。
【００１７】
ここで、前記データ伝送要請は、ＰＳ−Ｐｏｌｌフレームであることができる。ここで、前記チャネルアクセススロットは、ＰＳ−Ｐｏｌｌフレーム伝送時間、ＳＩＦＳ及びＡＣＫ受信時間を合わせた時間に相当する長さを有することができる。
【００１８】
ここで、前記データ伝送スロット割り当て情報は、前記データ伝送要請に対応するＡＣＫフレームに含まれて伝送され得る。
【００１９】
ここで、前記データ伝送スロットで前記端末に前記データ伝送要請に対応するデータを伝送する段階をさらに含むことができる。
【００２０】
前記さらに他の目的を達成するための本発明の一実施例は、端末が連結要請フレームに前記端末が支援するサービスタイプを指定する情報を含んでアクセスポイントに伝送する段階と、前記サービスタイプに基づいて前記端末に割り当てられたＡＩＤを含む連結応答フレームを前記アクセスポイントから受信する段階とを含む。
【００２１】
ここで、前記サービスタイプは、低電力消耗特性サービスタイプを含むことができる。ここで、前記低電力消耗特性サービスタイプは、低電力センサー端末に付与されるサービスタイプであることができる。
【００２２】
ここで、前記サービスタイプが低電力消耗特性を有する端末のサービスタイプを指示する場合、ＴＩＭビットマップ内で前記端末に割り当てられたＡＩＤは、一般電力消耗特性を有する端末のＡＩＤよりも前方に位置することができる。
【発明の効果】
【００２３】
本発明によれば、ＰＳ−Ｐｏｌｌ（または、Ｔｒｉｇｇｅｒ）フレーム伝送区間とデータ伝送区間を分離することによって、タイムスロット（ｔｉｍｅ  ｓｌｏｔ）が不要に無駄使いされることを防止することができる。
【００２４】
また、端末の電力特性によってグループ化してＡＩＤ（ａｓｓｏｃｉａｔｉｏｎ  ＩＤ）を割り当てて、低電力端末のためのタイムスロットを時間上に前方に割り当てることによって、低電力端末の不要な電力消耗を防止することができる。
【図面の簡単な説明】
【００２５】
【図１】図１は、ＩＥＥＥ ８０２．１１無線ＬＡＮシステムの構成に対する一実施例を示す概念図である。
【図２】図２は、インフラストラクチャーＢＳＳで端末の連結過程を示す概念図である。
【図３】図３は、ビーコンに含まれたＴＩＭの構成要素に対する一実施例を示すブロック図である。
【図４】図４は、アクセスポイントのデータ伝送過程に対する一実施例を示す概念図である。
【図５】図５は、タイムスロットを割り当てる方法に対する一実施例を示す概念図である。
【図６】図６は、ＡＩＤ構造に対する一実施例を示すブロック図である。
【図７】図７は、端末のサービスタイプを指定するためのフレーム構造に対する一実施例を示すブロック図である。
【図８】図８は、ブロック単位でエンコードされたＴＩＭの構造に対する一実施例を示す概念図である。
【図９】図９は、タイムスロットを割り当てる方法に対する他の実施例を示す概念図である。
【図１０】図１０は、タイムスロットが無駄使いされる一実施例を示す概念図である。
【図１１】図１１は、本発明の一実施例によるチャネルアクセス方法を示すフローチャートである。
【図１２】図１２は、チャネルアクセス方法に対する一実施例を示す概念図である。
【図１３】図１３は、チャネルアクセス方法によるスロット割り当てに対する一実施例を示す概念図である。
【図１４】図１４は、チャネルアクセス方法によるスロット割り当てに対する他の実施例を示す概念図である。
【発明を実施するための形態】
【００２６】
本発明は、多様な変更を行うことができ、さまざまな実施例を有することができるところ、特定の実施例を図面に例示し、詳細に説明する。しかし、これは、本発明を特定の実施形態に限定しようとするものではなく、本発明の思想及び技術範囲に含まれるすべての変更、均等物ないし代替物を含むものと理解しなければならない。
【００２７】
第１、第２などの用語は、多様な構成要素を説明するのに使用され得るが、前記構成要素は、前記用語に限定されるわけではない。前記用語は、１つの構成要素を他の構成要素から区別する目的で使用される。例えば、本発明の権利範囲を逸脱することなく、第１構成要素は、第２構成要素として命名されることができ、同様に、第２構成要素も第１構成要素として命名され得る。及び／またはという用語は、複数の関連された記載された項目の組み合わせまたは複数の関連された記載された項目のうちいずれかの項目を含む。
【００２８】
任意の構成要素が他の構成要素に「連結されて」いるか、「接続されて」いると言及されたときには、他の構成要素に直接的に連結されているか、または接続されていることもできるが、間に他の構成要素が存在することもできると理解しなければならない。一方、任意の構成要素が他の構成要素に「直接連結されて」いるか、「直接接続されて」いると言及されたときには、間に他の構成要素が存在しないものと理解しなければならない。
【００２９】
本出願で使用された用語は、単に特定の実施例を説明するために使用されたものであって、本発明を限定しようとする意図ではない。単数の表現は、文脈上、明白に異なって意味しない限り、複数の表現を含む。本出願で、「含む」または「有する」などの用語は、明細書上に記載された特徴、数字、段階、動作、構成要素、部品またはこれらを組み合わせたものが存在することを指定しようとするものであって、１つまたはそれ以上の他の特徴や数字、段階、動作、構成要素、部品またはこれらを組み合わせたものの存在または付加可能性をあらかじめ排除しないものと理解しなければならない。
【００３０】
異なって定義しない限り、技術的や科学的な用語を含んでここで使用されるすべての用語は、本発明の属する技術分野における通常の知識を有する者によって一般的に理解されるものと同一の意味を有している。一般的に使用される辞書に定義されているもののような用語は、関連技術の文脈上有する意味と一致する意味を有するものと解釈されなければならないし、本発明で明白に定義しない限り、理想的や過度に形式的な意味として解釈されない。
【００３１】
以下、添付の図面を参照して、本発明の好ましい実施例をより詳細に説明する。本発明を説明するに際して、全体的な理解を容易にするために、図面上の同一の構成要素については、同一の参照符号を使用して同一の構成要素について重複された説明を省略する。
【００３２】
明細書全体で、ステーション（ｓｔａｔｉｏｎ、ＳＴＡ）は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１標準の規定に従う媒体接続制御（ｍｅｄｉｕｍ  ａｃｃｅｓｓ  ｃｏｎｔｒｏｌ、ＭＡＣ）と無線媒体（ｍｅｄｉｕｍ）に対する物理階層（ｐｈｙｓｉｃａｌ  ｌａｙｅｒ）インターフェース（ｉｎｔｅｒｆａｃｅ）を含む任意の機能媒体を意味する。ステーションＳＴＡは、アクセスポイント（ａｃｃｅｓｓ  ｐｏｉｎｔ）ＡＰであるステーションＳＴＡと非アクセスポイントｎｏｎ−ＡＰであるステーションＳＴＡとに区分することができる。アクセスポイントＡＰであるステーションＳＴＡは、単にアクセスポイントＡＰと呼ばれることができ、非アクセスポイント（ｎｏｎ−ＡＰ）であるステーションＳＴＡは、単に端末（ｔｅｒｍｉｎａｌ）と呼ばれることがある。
【００３３】
ステーションＳＴＡは、プロセッサ（Ｐｒｏｃｅｓｓｏｒ）とトランシーバ（ｔｒａｎｓｃｅｉｖｅｒ）を含み、ユーザインターフェースとディスプレイ（ｄｉｓｐｌａｙ）装置などをさらに含むことができる。プロセッサは、無線ネットワークを介して伝送するフレームを生成するか、または無線ネットワークを介して受信されたフレームを処理するように考案されたユニット（ｕｎｉｔ）を意味し、ステーションＳＴＡを制御するためのさまざまな機能を果たす。トランシーバは、プロセッサと機能的に連結されており、ステーションＳＴＡのために無線ネットワークを介してフレームを送受信するように考案されたユニットを意味する。
【００３４】
アクセスポイントＡＰは、集中制御機、基地局（ｂａｓｅ  ｓｔａｔｉｏｎ、ＢＳ）、ノード−Ｂ（ｎｏｄｅ−Ｂ）、ｅノード−Ｂ、ＢＴＳ（ｂａｓｅ  ｔｒａｎｓｃｅｉｖｅｒ  ｓｙｓｔｅｍ）、またはサイト制御機などを指称することができ、それらの一部または全部の機能を含むことができる。
【００３５】
端末は、無線送受信ユニット（ｗｉｒｅｌｅｓｓ  ｔｒａｎｓｍｉｔ／ｒｅｃｅｉｖｅ  ｕｎｉｔ、ＷＴＲＵ）、ユーザ装備（ｕｓｅｒ  ｅｑｕｉｐｍｅｎｔ、ＵＥ）、ユーザ端末（ｕｓｅｒ  ｔｅｒｍｉｎａｌ、ＵＴ）、アクセス端末（ａｃｃｅｓｓ  ｔｅｒｍｉｎａｌ、ＡＴ）、移動局（ｍｏｂｉｌｅ  ｓｔａｔｉｏｎ、ＭＳ）、携帯用端末（ｍｏｂｉｌｅ  ｔｅｒｍｉｎａｌ）、加入者ユニット（ｓｕｂｓｃｒｉｂｅｒ  ｕｎｉｔ）、加入者ステーション（ｓｕｂｓｃｒｉｂｅｒ  ｓｔａｔｉｏｎ、ＳＳ）、無線機器（ｗｉｒｅｌｅｓｓ  ｄｅｖｉｃｅ）または移動加入者ユニット（ｍｏｂｉｌｅ  ｓｕｂｓｃｒｉｂｅｒ  ｕｎｉｔ）などを指称することができ、それらの一部または全部の機能を含むことができる。
【００３６】
ここで、端末で通信が可能なデスクトップコンピュータ（ｄｅｓｋｔｏｐ  ｃｏｍｐｕｔｅｒ）、ラップトップコンピュータ（ｌａｐｔｏｐ  ｃｏｍｐｕｔｅｒ）、タブレット（ｔａｂｌｅｔ）ＰＣ、無線電話機（ｗｉｒｅｌｅｓｓ  ｐｈｏｎｅ）、モバイルホン（ｍｏｂｉｌｅｐｈｏｎｅ）、スマートホン（ｓｍａｒｔ  ｐｈｏｎｅ）、ｅ−ｂｏｏｋリーダー機、ＰＭＰ（Ｐｏｒｔａｂｌｅ  Ｍｕｌｔｉｍｅｄｉａ  Ｐｌａｙｅｒ）、携帯用ゲーム機、ナビゲーション（ｎａｖｉｇａｔｉｏｎ）装置、デジタルカメラ（ｄｉｇｉｔａｌ  ｃａｍｅｒａ）、ＤＭＢ（Ｄｉｇｉｔａｌ  Ｍｕｌｔｉｍｅｄｉａ  Ｂｒｏａｄｃａｓｔｉｎｇ）再生機、デジタル音声録音機（ｄｉｇｉｔａｌ  ａｕｄｉｏ  ｒｅｃｏｒｄｅｒ）、デジタル音声再生機（ｄｉｇｉｔａｌ  ａｕｄｉｏ  ｐｌａｙｅｒ）、デジタル映像録画器（ｄｉｇｉｔａｌ  ｐｉｃｔｕｒｅ  ｒｅｃｏｒｄｅｒ）、デジタル映像再生機（ｄｉｇｉｔａｌ  ｐｉｃｔｕｒｅ  ｐｌａｙｅｒ）、デジタル動画録画器（ｄｉｇｉｔａｌ  ｖｉｄｅｏ  ｒｅｃｏｒｄｅｒ）、デジタル動画再生機（ｄｉｇｉｔａｌ  ｖｉｄｅｏ  ｐｌａｙｅｒ）などを使用することができる。
【００３７】
図１は、ＩＥＥＥ ８０２．１１無線ＬＡＮシステムの構成に対する一実施例を示す概念図である。
【００３８】
図１を参照すれば、ＩＥＥＥ ８０２．１１無線ＬＡＮシステムは、少なくとも１つの基本サービスセット（ｂａｓｉｃ  ｓｅｒｖｉｃｅ  ｓｅｔ）ＢＳＳを含む。ＢＳＳは、成功的に同期化を成して互いに通信することができるステーションＳＴＡ１、ＳＴＡ２（ＡＰ１）、ＳＴＡ３、ＳＴＡ４、ＳＴＡ５（ＡＰ２）の集合を意味し、特定領域を意味する概念ではない。
【００３９】
ＢＳＳは、インフラストラクチャーＢＳＳ（ｉｎｆｒａｓｔｒｕｃｔｕｒｅ  ＢＳＳ）と独立ＢＳＳ（ｉｎｄｅｐｅｎｄｅｎｔ  ＢＳＳ）ＩＢＳＳとに区分することができ、ＢＳＳ１とＢＳＳ２は、インフラストラクチャーＢＳＳを意味する。ＢＳＳ１は、端末ＳＴＡ１、分配サービス（ｄｉｓｔｒｉｂｕｔｉｏｎ  ｓｅｒｖｉｃｅ）を提供するアクセスポイントＳＴＡ２（ＡＰ１）及び多数のアクセスポイントＳＴＡ２（ＡＰ１）、ＳＴＡ５（ＡＰ２）を連結する分配システム（Ｄｉｓｔｒｉｂｕｔｉｏｎ  Ｓｙｓｔｅｍ）ＤＳを含むことができる。ＢＳＳ１でアクセスポイントＳＴＡ２（ＡＰ１）は、端末ＳＴＡ１を管理する。
【００４０】
ＢＳＳ２は、端末ＳＴＡ３、ＳＴＡ４、分配サービスを提供するアクセスポイントＳＴＡ５（ＡＰ２）及び多数のアクセスポイントＳＴＡ２（ＡＰ１）、ＳＴＡ５（ＡＰ２）を連結する分配システムを含むことができる。ＢＳＳ２で、アクセスポイントＳＴＡ５（ＡＰ２）は、端末ＳＴＡ３、ＳＴＡ４を管理する。
【００４１】
一方、独立ＢＳＳは、アド−ホック（ａｄ−ｈｏｃ）モードで動作するＢＳＳである。ＩＢＳＳは、アクセスポイントを含まないので、中央で管理機能を行う個体（ｃｅｎｔｒａｌｉｚｅｄ  ｍａｎａｇｅｍｅｎｔ  ｅｎｔｉｔｙ）が存在しない。すなわち、ＩＢＳＳで端末は、分散した方式（ｄｉｓｔｒｉｂｕｔｅｄ  ｍａｎｎｅｒ）で管理される。ＩＢＳＳですべての端末は、移動端末よりなることができ、分配システムＤＳに接続が許容されないので、自己完備的ネットワーク（ｓｅｌｆ−ｃｏｎｔａｉｎｅｄ  ｎｅｔｗｏｒｋ）を構成する。
【００４２】
アクセスポイントＳＴＡ２（ＡＰ１）、ＳＴＡ５（ＡＰ２）は、自分に結合された端末ＳＴＡ１、ＳＴＡ３、ＳＴＡ４のために無線媒体を介した分散システムＤＳに対する接続を提供する。ＢＳＳ１またはＢＳＳ２で端末ＳＴＡ１、ＳＴＡ３、ＳＴＡ４間の通信は、一般的にアクセスポイントＳＴＡ２（ＡＰ１）、ＳＴＡ５（ＡＰ２）を介して行われるが、ダイレクトリンク（ｄｉｒｅｃｔ  ｌｉｎｋ）が設定された場合には、端末ＳＴＡ１、ＳＴＡ３、ＳＴＡ４間の直接通信が可能である。
【００４３】
複数のインフラストラクチャーＢＳＳは、分配システムＤＳを介して相互連結され得る。分配システムＤＳを介して連結された複数のＢＳＳを拡張サービスセット（ｅｘｔｅｎｄｅｄ  ｓｅｒｖｉｃｅ  ｓｅｔ、ＥＳＳ）と言う。ＥＳＳに含まれるステーションは、互いに通信することができ、同一のＥＳＳ内で端末は、断絶なしに通信を行いながら１つのＢＳＳから他のＢＳＳに移動することができる。
【００４４】
分配システムＤＳは、１つのアクセスポイントが他のアクセスポイントと通信するためのメカニズムであって、これによれば、アクセスポイントは、自分が管理するＢＳＳに結合されている端末のためにフレームを伝送するか、または他のＢＳＳに移動した任意の端末のためにフレームを伝送することができる。また、アクセスポイントは、有線ネットワークなどのような外部ネットワークとフレームを送受信することができる。このような分配システムＤＳは、必ずネットワークである必要はなく、ＩＥＥＥ ８０２．１１標準に規定された所定の分配サービスを提供することができたら、その形態については何らの制限がない。例えば、分配システムは、メッシュネットワーク（ｍｅｓｈ  ｎｅｔｗｏｒｋ）のような無線ネットワークであるか、またはアクセスポイントを互いに連結させる物理的な構造物であってもよい。
【００４５】
後述する本発明の一実施例によるチャネルアクセス方法は、前記で説明したＩＥＥＥ ８０２．１１無線ＬＡＮシステムに適用され得、また、ＩＥＥＥ ８０２．１１無線ＬＡＮシステムだけでなく、ＷＰＡＮ（Ｗｉｒｅｌｅｓｓ  Ｐｅｒｓｏｎａｌ  Ａｒｅａ  Ｎｅｔｗｏｒｋ）、ＷＢＡＮ（Ｗｉｒｅｌｅｓｓ  Ｂｏｄｙ  Ａｒｅａ  Ｎｅｔｗｏｒｋ）などのような多様なネットワークに適用され得る。
【００４６】
図２は、インフラストラクチャーＢＳＳで端末の連結過程を示す概念図である。イントラストロックチョＢＳＳで端末ＳＴＡがデータを送受信するために、まず、端末ＳＴＡは、アクセスポイントＡＰと連結されなければならない。
【００４７】
図２を参照すれば、インフラストラクチャーＢＳＳで端末ＳＴＡの連結過程は、大きく、１）アクセスポイントＡＰを探知する段階（ｐｒｏｂｅ  ｓｔｅｐ）、２）探知されたアクセスポイントＡＰとの認証段階（ａｕｔｈｅｎｔｉｃａｔｉｏｎ  ｓｔｅｐ）、３）認証されたアクセスポイントＡＰとの連結段階（ａｓｓｏｃｉａｔｉｏｎ  ｓｔｅｐ）に区分される。
【００４８】
端末ＳＴＡは、まず、探知プロセス（ｐｒｏｃｅｓｓ）を通じて隣り合うアクセスポイントＡＰｓを探知することができる。探知プロセスは、受動スキャニング（ｐａｓｓｉｖｅ  ｓｃａｎｎｉｎｇ）方法と能動スキャニング（ａｃｔｉｖｅ  ｓｃａｎｎｉｎｇ）方法に区分される。受動スキャニング方法は、隣り合うアクセスポイントＡＰｓが伝送するビーコンをオーバーヒアリング（ｏｖｅｒｈｅａｒｉｎｇ）することによって行える。一方、能動スキャニング方法は、プローブ要請フレーム（ｐｒｏｂｅ  ｒｅｑｕｅｓｔ  ｆｒａｍｅ）をブロードキャスティング（ｂｒｏａｄｃａｓｔｉｎｇ）することによって行われることができる。プローブ要請フレームを受信したアクセスポイントＡＰはプローブ要請フレームに対応するプローブ応答フレーム（ｐｒｏｂｅ  ｒｅｓｐｏｎｓｅ  ｆｒａｍｅ）を当該端末ＳＴＡに伝送することができる。端末ＳＴＡは、プローブ応答フレームを受信することによって、隣り合うアクセスポイントＡＰｓの存在を把握することができる。
【００４９】
その後、端末ＳＴＡは、探知されたアクセスポイントＡＰとの認証を行い、探知された複数のアクセスポイントＡＰｓとの認証を行うことができる。ＩＥＥＥ ８０２．１１標準による認証アルゴリズム（ａｌｇｏｒｉｔｈｍ）は、２つの認証フレームを交換するオープンシステム（ｏｐｅｎ  ｓｙｓｔｅｍ）アルゴリズム、４つの認証フレームを交換する共有キー（ｓｈａｒｅｄ  ｋｅｙ）アルゴリズムに区分される。このような認証アルゴリズムに基づいて認証要請フレーム（ａｕｔｈｅｎｔｉｃａｔｉｏｎ  ｒｅｑｕｅｓｔ  ｆｒａｍｅ）と認証応答フレーム（ａｕｔｈｅｎｔｉｃａｔｉｏｎ  ｒｅｓｐｏｎｓｅ  ｆｒａｍｅ）を交換する過程によって、端末ＳＴＡは、アクセスポイントＡＰとの認証を行うことができる。
【００５０】
最後に、端末ＳＴＡは、認証された複数のアクセスポイントＡＰｓのうち１つのアクセスポイントＡＰを選択し、選択されたアクセスポイントＡＰと連結過程を行う。すなわち、端末ＳＴＡは、選択されたアクセスポイントＡＰに連結要請フレーム（ａｓｓｏｃｉａｔｉｏｎ  ｒｅｑｕｅｓｔ  ｆｒａｍｅ）を伝送し、連結要請フレームを受信したアクセスポイントＡＰは、連結要請フレームに対応する連結応答フレーム（ａｓｓｏｃｉａｔｉｏｎ  ｒｅｓｐｏｎｓｅ  ｆｒａｍｅ）を当該端末ＳＴＡに伝送する。このように、連結要請フレームと連結応答フレームを交換する過程を通じて、端末ＳＴＡは、アクセスポイントＡＰと連結過程を行うことができる。
【００５１】
図３は、ビーコンに含まれたＴＩＭの構成要素に対する一実施例を示すブロック図である。
【００５２】
ＩＥＥＥ８０２．１１無線ＬＡＮシステムで、端末に伝送するデータがある場合、アクセスポイントは、周期的に伝送されるビーコン（ｂｅａｃｏｎ  ｆｒａｍｅ）内のＴＩＭ（ｔｒａｆｆｉｃ  ｉｎｄｉｃａｔｉｏｎ  ｍａｐ）を用いて伝送するデータがあることを端末に通知する。
【００５３】
図３を参照すれば、ＴＩＭは、要素ＩＤ（ｅｌｅｍｅｎｔ  ＩＤ）フィールド（ｆｉｅｌｄ）、長さ（ｌｅｎｇｔｈ）フィールド、ＤＴＩＭ（ｄｅｌｉｖｅｒｙ  ｔｒａｆｆｉｃ  ｉｎｄｉｃａｔｉｏｎ  ｍｅｓｓａｇｅ）カウント（ｃｏｕｎｔ）フィールド、ＤＴＩＭ期間（ｐｅｒｉｏｄ）フィールド、ビットマップ制御（ｂｉｔｍａｐ  ｃｏｎｔｒｏｌ）フィールド及び部分仮想ビットマップ（ｐａｒｔｉａｌ  ｖｉｒｔｕａｌ  ｂｉｔｍａｐ）フィールドを含む。
【００５４】
長さフィールドは、情報フィールドの長さを示す。ＤＴＩＭカウントフィールドは、ＤＴＩＭが現われる前に現われるビーコンの個数を示し、ＤＴＩＭカウントが０の場合、現在ＴＩＭがＤＴＩＭに該当することを通知する。ＤＴＩＭカウントフィールドは、１オクテット（ｏｃｔｅｔ）で構成される。ＤＴＩＭ期間フィールドは、連続するＤＴＩＭ間のビーコンインターバル（ｉｎｔｅｒｖａｌ）の個数を示す。もし、すべてのＴＩＭがＤＴＩＭの場合、ＤＴＩＭ期間フィールドの値は１である。ＤＴＩＭ期間フィールドは、１オクテットで構成される。
【００５５】
ビットマップ制御フィールドは、１オクテットで構成され、ビットマップ制御フィールドのうちビット（ｂｉｔ）番号０は、ＡＩＤ（ａｓｓｏｃｉａｔｉｏｎ  ＩＤ）０と連関されるトラフィックインジケータービット（ｔｒａｆｆｉｃ  ｉｎｄｉｃａｔｏｒ  ｂｉｔ）を意味する。このようなビットが１に設定され、ＤＴＩＭカウントフィールドの値が０の場合、少なくとも１つのマルチキャスト（ｍｕｌｔｉｃａｓｔ）またはブロードキャスト（ｂｒｏａｄｃａｓｔ）フレームがアクセスポイントにバッファリング（ｂｕｆｆｅｒｉｎｇ）されていることを示す。ビットマップ制御フィールドのうち残りの７ビットは、ビットマップオフセット（ｂｉｔｍａｐ  ｏｆｆｓｅｔ）を形成する。
【００５６】
部分仮想ビットマップフィールドは、１〜２５１オクテットで構成され、ビット番号Ｎは、０〜２００７間の値を有する。部分仮想ビットマップフィールドの各ビットは、特定端末のためにバッファリングされたトラフィック（ｔｒａｆｆｉｃ）と対応する。任意の端末のＡＩＤがＮの場合、前記任意の端末のためにバッファリングドされたトラフィックが存在しなければ、部分仮想ビットマップフィールドのうちビット番号Ｎは０に設定され、前記任意の端末のためにバッファリングされたトラフィックが存在すれば、部分仮想ビットマップフィールドのうちビット番号Ｎは１に設定される。
【００５７】
図４は、アクセスポイントのデータ伝送過程に対する一実施例を示す概念図である。図４を参照すれば、アクセスポイントＡＰは、周期的にビーコンをブロードキャスティング（ｂｒｏａｄｃａｓｔｉｎｇ）し、３個のビーコン間隔（ｉｎｔｅｒｖａｌ）でＤＴＩＭが含まれたビーコンをブロードキャスティングすることができる。節電モード（ｐｏｗｅｒ  ｓａｖｅ  ｍｏｄｅ、ＰＳＭ）の端末ＳＴＡ１、ＳＴＡ２は、周期的に解除され（ａｗａｋｅ）ビーコンを受信し、ビーコンに含まれたＴＩＭまたはＤＴＩＭを確認し、自分に伝送されるデータがアクセスポイントにバッファリングされているかを確認する。この際、バッファリングされたデータが存在する場合、端末ＳＴＡ１、ＳＴＡ２は、解除状態を維持し、アクセスポイントＡＰからデータを受信し、バッファリングされたデータが存在しない場合、端末ＳＴＡ１、ＳＴＡ２は、節電状態（すなわち、ｄｏｚｅ状態）に戻る。
【００５８】
すなわち、自分のＡＩＤに対応するＴＩＭ内のビットが１に設定されている場合、端末ＳＴＡ１、ＳＴＡ２は、自分が解除されデータを受ける用意ができたことを通知するＰＳ（Ｐｏｗｅｒ  Ｓａｖｅ）−Ｐｏｌｌフレーム（または、トリガー（ｔｒｉｇｇｅｒ）フレーム）をアクセスポイントＡＰに伝送し、アクセスポイントＡＰは、ＰＳ−Ｐｏｌｌフレームを受信することによって、端末ＳＴＡ１、ＳＴＡ２がデータ受信のための用意ができたことを確認し、端末ＳＴＡ１、ＳＴＡ２にデータまたはＡＣＫ（ａｃｋｎｏｗｌｅｄｇｅｍｅｎｔ）を伝送することができる。ＡＣＫを端末ＳＴＡ１、ＳＴＡ２に伝送した場合、アクセスポイントＡＰは、適切な時点にデータを端末ＳＴＡ１、ＳＴＡ２に伝送する。一方、自分のＡＩＤに対応するＴＩＭ内のビットが０に設定されている場合、端末ＳＴＡ１、ＳＴＡ２は、節電状態に戻る。
【００５９】
ビーコンに含まれたＴＩＭ（または、ＤＴＩＭ）は、同時に多数の端末ＡＩＤのためのビット設定が可能である。したがって、アクセスポイントがビーコンをブロードキャスティングした後、自分のＡＩＤに対応するビットが１に設定されている複数の端末は、同時にＰＳ−Ｐｏｌｌをアクセスポイントに伝送する。この際、複数の端末の間にＰＳ−Ｐｏｌｌフレームを伝送するための無線チャネルアクセス（ａｃｃｅｓｓ）の競争が激しくなり、また、無線ＬＡＮシステムの慢性的な問題である隠れ端末問題（ｈｉｄｄｅｎ  ｎｏｄｅ  ｐｒｏｂｌｅｍ）によって端末間の衝突が発生する。
【００６０】
例えば、数千個の低電力センサー（ｓｅｎｓｏｒ）端末を支援する無線ＬＡＮサービスにおいてこのような現象が頻繁に発生し得る。このような場合、端末は、データの受信を完了するために解除状態を持続するか、または衝突によって伝送されないＰＳ−Ｐｏｌｌフレームの再伝送を繰り返して行わなければならないので、電力消耗問題が深刻に現われることがある。
【００６１】
このような問題点は、端末のチャネルアクセス時点を一定時間にわたって分散させることによって解決することができる。すなわち、ビーコンの伝送時点以後に所定時間区間内で一定時間間隔のタイムスロット（ｔｉｍｅ  ｓｌｏｔ）をデータ伝送対象端末の個数分だけ指定し、指定されたタイムスロットを各端末に割り当てることによって、前記のような問題点を解決することができる。
【００６２】
図５は、タイムスロットを割り当てる方法に対する一実施例を示す概念図である。図５を参照すれば、ＴＩＭ（または、ＤＴＩＭ）情報（すなわち、ビットマップ）には、端末１  ＳＴＡ１から端末１０  ＳＴＡ１０の順序にＡＩＤが設定され得、このような順序にタイムスロットＴが割り当てられることができる。したがって、端末は、ビーコンに含まれたＴＩＭ（または、ＤＴＩＭ）情報（すなわち、ビットマップ）内のＡＩＤ順序によって自分に割り当てられたタイムスロットＴを判断することができる。例えば、ＴＩＭ（または、ＤＴＩＭ）情報（すなわち、ビットマップ）内で端末１  ＳＴＡ１のＡＩＤに対応するビットが一番目に位置する場合、端末１  ＳＴＡ１は、自分に割り当てられたタイムスロットＴをビーコンの伝送時点以後に所定時間区間内の一番目のスロットとして判断することができる。
【００６３】
ここで、１つのタイムスロットＴは、「ＰＳ−Ｐｏｌｌ（または、Ｔｒｉｇｇｅｒ）フレーム伝送時間＋ＳＩＦＳ（Ｓｈｏｒｔ  ＩｎｔｅｒＦｒａｍｅ  Ｓｐａｃｅ）＋データ受信時間＋ＳＩＦＳ＋ＡＣＫ伝送時間」に相当する長さ（例えば、約２０〜４０ｍｓ）を有することができ、タイムスロットＴの長さは、前記説明に限定されず、設定によって多様な長さを有することができる。
【００６４】
しかし、特定端末が自分に割り当てられたタイムスロットＴを介してＰＳ−Ｐｏｌｌ（または、Ｔｒｉｇｇｅｒ）フレームをアクセスポイントに伝送しない場合、当該タイムスロットＴが無駄使いされる問題点がある。特に、ＷＮＭ節電モード（ｐｏｗｅｒ  ｓａｖｅ  ｍｏｄｅ）で動作する端末は、すべてのＤＴＩＭを見ないので、連続的なＤＴＩＭ周期で自分に割り当てられたタイムスロットＴを介してＰＳ−Ｐｏｌｌ（または、Ｔｒｉｇｇｅｒ）フレームをアクセスポイントに伝送しない場合が発生する。
【００６５】
また、優先順位が低いタイムスロット（すなわち、時間上に後方に位置するタイムスロット）を割り当てられた端末のチャネル接続時点は、優先順位が高いタイムスロット（すなわち、時間上に前方に位置するタイムスロット）を割り当てられた端末のデータ伝送失敗などによる時間遅延によって影響を受けるようになる。さらに、低電力端末が、優先順位が低いタイムスロット（すなわち、時間上に後方に位置するタイムスロット）を割り当てられた場合、不要に長時間解除していなければならないので、電力消耗が増加する問題が発生する。
【００６６】
図６は、ＡＩＤ構造に対する一実施例を示すブロック図であり、図７は、端末のサービスタイプを指定するためのフレーム構造に対する一実施例を示すブロック図である。
【００６７】
１つのアクセスポイントを介してサービスを受ける多数の端末が存在し、このような端末を類似の特徴にグループ化することができる場合、アクセスポイントは、端末のＡＩＤをグループ化して管理することができる。
【００６８】
図６を参照すれば、ＡＩＤ構造は、ページＩＤ（ｐａｇｅ  ＩＤ）フィールド、ブロックインデックス（ｂｌｏｃｋ  ｉｎｄｅｘ）フィールド、サブ−ブロックインデックス（ｓｕｂ−ｂｌｏｃｋ  ｉｎｄｅｘ）フィールド及びＳＴＡビットインデックス（ＳＴＡ  ｂｉｔ  ｉｎｄｅｘ）フィールドを含む。すなわち、アクセスポイントは、ＡＩＤをページ／ブロック／サブ−ブロック単位で階層化されたグループで管理することができる。
【００６９】
図７を参照すれば、端末のサービスタイプを指定するためのフレームは、要素ＩＤ（ｅｌｅｍｅｎｔ  ＩＤ）フィールド、長さ（ｌｅｎｇｔｈ）フィールド、サービスタイプ（ｓｅｒｖｉｃｅ  ｔｙｐｅ）フィールドを含むことができる。端末は、サービスタイプフィールドを介して自分が支援するサービスタイプを指定することができる。サービスタイプは、低電力消耗特性サービスタイプ、チャネル接続の優先順位を有するサービスタイプ、一般的なサービスタイプを含むことができる。低電力消耗特性サービスタイプは、低電力センサー端末（または、低容量センサー端末）に付与されるサービスタイプを意味することができ、チャネル接続の優先順位を有するサービスタイプは、あらかじめ定義された基準によって優先順位を有する端末に付与されるサービスタイプを意味することができ、一般的なサービスタイプは、一般電力消耗特性を有する端末に付与されるサービスタイプを意味することができる。
【００７０】
自分が支援するサービスタイプを指定した端末は、指定されたサービスタイプ情報を含む連結要請フレーム（ａｓｓｏｃｉａｔｉｏｎ  ｒｅｑｕｅｓｔ  ｆｒａｍｅ、図２参照）をアクセスポイントに伝送することができる。
【００７１】
連結要請フレームを受信したアクセスポイントは、サービスタイプに基づいて端末のＡＩＤを割り当てることができる。例えば、サービスタイプが低電力消耗特性サービスタイプの場合、アクセスポイントは、低電力消耗特性を有する端末のＡＩＤを、一般電力消耗特性を有する端末のＡＩＤよりもＴＩＭビットマップ内で前方に位置するように設定することができる。また、階層化されたＡＩＤ構造で、アクセスポイントは、低電力消耗特性を有する端末に対応するブロックインデックスを低電力ブロックＩＤとして定義することができ、低電力ブロックＩＤを、一般電力消耗特性を有する端末に対するブロックＩＤよりも低い値を有するように設定することができる。
【００７２】
サービスタイプに基づいて端末のＡＩＤを割り当てた後、アクセスポイントは、割り当てられたＡＩＤを含む連結応答フレーム（ａｓｓｏｃｉａｔｉｏｎ  ｒｅｓｐｏｎｓｅ  ｆｒａｍｅ、図２参照）を端末に伝送することができる。
【００７３】
図８は、ブロック単位でエンコードされたＴＩＭの構造に対する一実施例を示す概念図である。
【００７４】
図８を参照すれば、部分仮想ビットマップ（ｐａｒｔｉａｌ  ｖｉｒｔｕａｌ  ｂｉｔｍａｐ）フィールドは、少なくとも１つのブロック（ｂｌｏｃｋ  Ｌ、ｂｌｏｃｋ  Ｍ、…、ｂｌｏｃｋ  Ｐ）フィールドを含む。１つのブロックフィールドは、ブロック制御（ｂｌｏｃｋ  ｃｏｎｔｒｏｌ）フィールド、ブロックオフセット（ｂｌｏｃｋ  ｏｆｆｓｅｔ）フィールド、ブロックビットマップ（ｂｌｏｃｋ  ｂｉｔｍａｐ）フィールド及び多様なサイズを有するサブ−ブロック（ｓｕｂ−ｂｌｏｃｋ）フィールドを含む。サブ−ブロックフィールドは、少なくとも１つのサブ−ブロックビットマップ（ｓｕｂ−ｂｌｏｃｋ  ｂｉｔｍａｐ  １、ｓｕｂ−ｂｌｏｃｋ  ｂｉｔｍａｐ  ２、…、ｓｕｂ−ｂｌｏｃｋ  ｂｉｔｍａｐ  Ｍ）フィールドを含む。
【００７５】
ブロック制御フィールドは、ＴＩＭのエンコードモード（すなわち、ブロックビットマップモード、シングル（ｓｉｎｇｌｅ）ＡＩＤモード、ＯＬＢ（オフセット（ｏｆｆｓｅｔ）＋長さ（ｌｅｎｇｔｈ）＋ビットマップ（ｂｉｔｍａｐ））モード、インバース（ｉｎｖｅｒｓｅ）モード）を示す。ブロックオフセットフィールドは、エンコードされたブロックのオフセット値を示す。ブロックビットマップフィールドは、ブロックオフセットが指すブロック内のサブ−ブロックのうちＡＩＤビットが設定されているサブ−ブロックを表示するビットマップを示す。サブ−ブロックフィールドは、サブ−ブロック内のＡＩＤに対するビットマップを示す。
【００７６】
図９は、タイムスロットを割り当てる方法に対する他の実施例を示す概念図である。図９を参照すれば、端末に伝送するデータが存在する場合、アクセスポイントは、ビーコンを伝送した以後の時点から端末のためのタイムスロットＴを割り当てることができる。ここで、ブロックオフセット０は、低電力消耗特性を有する端末を意味し、低電力消耗特性を有する端末は、端末１  ＳＴＡ１、端末２  ＳＴＡ２、端末３  ＳＴＡ３、端末４  ＳＴＡ４を含む。ブロックオフセット２は、一般電力消耗特性を有する端末を意味し、一般電力消耗特性を有する端末は、端末５  ＳＴＡ５、端末６  ＳＴＡ６、端末７  ＳＴＡ７、端末８  ＳＴＡ８、端末９  ＳＴＡ９、端末１０  ＳＴＡ１０を含む。
【００７７】
アクセスポイントは、低電力消耗特性を有する端末ＳＴＡ１、ＳＴＡ２、ＳＴＡ３、ＳＴＡ４のためのタイムスロットＴが一般電力消耗特性を有する端末ＳＴＡ５、ＳＴＡ６、ＳＴＡ７、ＳＴＡ８、ＳＴＡ９、ＳＴＡ１０のためのタイムスロットＴよりも時間上前方に位置するようにタイムスロットＴを割り当てることができる。すなわち、ビーコンを伝送した以後、所定時間区間内で、アクセスポイントは、低電力消耗特性を有する端末ＳＴＡ１、ＳＴＡ２、ＳＴＡ３、ＳＴＡ４のためのタイムスロットＴを先に割り当てることができ、引き続いて一般電力消耗特性を有する端末ＳＴＡ５、ＳＴＡ６、ＳＴＡ７、ＳＴＡ８、ＳＴＡ９、ＳＴＡ１０のためのタイムスロットＴを割り当てることができる。
【００７８】
ここで、１つのタイムスロットＴは、「ＰＳ−Ｐｏｌｌ（または、Ｔｒｉｇｇｅｒ）フレーム伝送時間＋ＳＩＦＳ＋データ受信時間＋ＳＩＦＳ＋ＡＣＫ伝送時間」に相当する長さを有することができ、タイムスロットＴの長さは、前記説明に限定されず、設定によって多様な長さを有することができる。
【００７９】
図１０は、タイムスロットが無駄使いされる一実施例を示す概念図である。図１０を参照すれば、前記説明した図９のように、タイムスロットを割り当てる環境において、ＷＮＭ節電モードで動作する端末とリスンインターバル（ｌｉｓｔｅｎ  ｉｎｔｅｒｖａｌ）が長い端末は、すべてのＴＩＭ（または、ＤＴＩＭ）を見ないので、連続的なＴＩＭ（または、ＤＴＩＭ）周期で自分に割り当てられたタイムスロットを介してＰＳ−Ｐｏｌｌ（または、Ｔｒｉｇｇｅｒ）フレームをアクセスポイントに伝送しない場合が発生する。
【００８０】
ここで、端末１  ＳＴＡ１、端末２  ＳＴＡ２、端末３  ＳＴＡ３、端末４  ＳＴＡ４は、低電力消耗特性を有する端末を意味し、端末５  ＳＴＡ５、端末６  ＳＴＡ６、端末７  ＳＴＡ７は、一般電力消耗特性を有する端末を意味する。端末１  ＳＴＡ１、端末２  ＳＴＡ２、端末４  ＳＴＡ４、端末６  ＳＴＡ６は、自分に割り当てられたタイムスロットを介してＰＳ−Ｐｏｌｌ（または、Ｔｒｉｇｇｅｒ）フレームをアクセスポイントに伝送し、それによるデータをアクセスポイントから受信するが、端末３  ＳＴＡ３、端末５  ＳＴＡ５、端末７  ＳＴＡ７は、自分に割り当てられたタイムスロットを使用しないので、当該タイムスロットが無駄使いされる問題が発生する。
【００８１】
図１１は、本発明の一実施例によるチャネルアクセス方法を示すフローチャートである。図１１を参照すれば、チャネルアクセス方法は、アクセスポイント１０の側面において、アクセスポイント１０は、端末２０に対するＴＩＭ（または、ＤＴＩＭ）情報が含まれたビーコンを伝送することができ（Ｓ１００）、ＴＩＭ（または、ＤＴＩＭ）情報に基づいて端末２０に割り当てられたチャネルアクセススロットを介してデータ伝送要請を端末２０から受信することができ（Ｓ１２０）、データ伝送要請に対応して端末２０に割り当てられたデータ伝送スロット割り当て情報を端末２０に伝送することができる（Ｓ１３０）。また、アクセスポイント１０は、データ伝送スロットを介して端末２０にデータ伝送要請に対応するデータを伝送することができ（Ｓ１４０）、データ伝送による応答フレームを端末２０から受信することができる（Ｓ１５０）。
【００８２】
チャネルアクセス方法は、端末２０の側面において、端末２０は、アクセスポイント１０が伝送するビーコンに含まれたＴＩＭ（または、ＤＴＩＭ）情報を受信することができ（Ｓ１００）、ＴＩＭ（または、ＤＴＩＭ）情報に基づいて自分に割り当てられたチャネルアクセススロットを判断することができ（Ｓ１１０）、チャネルアクセススロットを介してアクセスポイント１０にデータ伝送要請を伝送することができ（Ｓ１２０）、アクセスポイント１０からデータ伝送要請に対応するデータ伝送スロット割り当て情報を受信することができる（Ｓ１３０）。また、端末２０は、データ伝送スロットを介してアクセスポイント１０からデータ伝送要請に対応するデータを受信することができ（Ｓ１４０）、データ受信による応答フレームをアクセスポイント１０に伝送することができる（Ｓ１５０）。
【００８３】
段階Ｓ１００で、アクセスポイント１０は、端末２０に対するＴＩＭ（または、ＤＴＩＭ）情報（すなわち、ビットマップ）が含まれたビーコンをブロードキャスティング（ｂｒｏａｄｃａｓｔｉｎｇ）することができ、端末２０は、アクセスポイント１０から伝送されるビーコンを受信することができる。アクセスポイント１０は、低電力消耗特性を有する端末のＡＩＤが一般電力消耗特性を有する端末のＡＩＤよりも低い値を有するようにＴＩＭ（または、ＤＴＩＭ）情報を設定することができる。また、アクセスポイント１０は、チャネルアクセススロットの長さ情報を、ビーコンを介して端末２０に伝送することができ、または、端末２０の連結（ａｓｓｏｃｉａｔｉｏｎ）（または、再連結（ｒｅａｓｓｏｃｉａｔｉｏｎ））時にチャネルアクセススロットの長さ情報を端末２０に伝送することができる（例えば、連結応答フレームを介して端末２０に伝送することができる）。
【００８４】
ここで、チャネルアクセススロットは、「ＰＳ−Ｐｏｌｌ（または、Ｔｒｉｇｇｅｒ）フレーム伝送時間＋ＳＩＦＳ＋ＡＣＫ受信時間」に相当する長さ（ＰＳ−Ｐｏｌｌ（または、Ｔｒｉｇｇｅｒ）フレームを伝送することができる長さ）を有することができ、チャネルアクセススロットの長さは、前記説明に限定されず、設定によって多様な長さを有することができる。
【００８５】
段階Ｓ１１０で、端末２０は、アクセスポイント１０から受信したＴＩＭ（または、ＤＴＩＭ）情報に基づいて自分に割り当てられたチャネルアクセススロットを判断することができる。例えば、端末２０は、ＴＩＭ（または、ＤＴＩＭ）情報内で自分のＡＩＤに対応するビットが１に設定されていて、ＴＩＭ（または、ＤＴＩＭ）情報内で１に設定されたビットのうち自分のＡＩＤに対応するビット位置が一番目の場合、端末２０は、チャネルアクセス区間内で一番目のスロットを自分に割り当てられたスロットとして決定することができる。すなわち、端末２０は、チャネルアクセス区間内で自分に割り当てられたチャネルアクセススロットの位置とチャネルアクセススロットの長さ情報に基づいて、自分に割り当てられたチャネルアクセススロットに対する時間情報を獲得することができる。ここで、チャネルアクセス区間は、少なくとも１つのチャネルアクセススロットで構成され得、チャネルアクセス区間に対する具体的な説明は後述する。
【００８６】
また、アクセスポイント１０は、前記と同一の方法を使用してチャネルアクセス区間内で端末２０に割り当てられたスロットを決定することができる。
【００８７】
段階Ｓ１２０で、端末２０は、自分に割り当てられたチャネルアクセススロットを介してデータ伝送要請をアクセスポイント１０に伝送することができ、アクセスポイント１０は、チャネルアクセススロットを介して伝送されるデータ伝送要請を受信することができる。ここで、データ伝送要請は、ＰＳ−Ｐｏｌｌ（または、Ｔｒｉｇｇｅｒ）フレームを意味することがある。
【００８８】
段階Ｓ１３０で、アクセスポイント１０は、データ伝送要請に対応して端末２０に割り当てられたデータ伝送スロット割り当て情報を、チャネルアクセススロットを介して端末２０に伝送することができ、端末２０は、チャネルアクセススロットを介して伝送されるデータ伝送スロット割り当て情報を受信することができる。この際、アクセスポイント１０は、データ伝送要請に対応するＡＣＫフレーム（すなわち、データ伝送スロット割り当て情報を含むＡＣＫフレーム）を介してデータ伝送スロット割り当て情報を端末２０に伝送することができる。
【００８９】
データ伝送スロット割り当て情報は、データ伝送区間内で自分に割り当てられたデータ伝送スロットの順序を含むことができ、データ伝送スロットの長さ情報をさらに含むことができる。また、アクセスポイント１０は、データ伝送スロットの長さ情報を、ビーコンを介して端末２０に伝送することができ、または、端末２０の連結（ａｓｓｏｃｉａｔｉｏｎ）（または、再連結（ｒｅａｓｓｏｃｉａｔｉｏｎ））時にデータ伝送スロットの長さ情報を端末２０に伝送することができる（例えば、連結応答フレームを介して端末２０に伝送することができる）。
【００９０】
ここで、データ伝送区間は、少なくとも１つのデータ伝送スロットで構成され得、データ伝送区間に対する具体的な説明は後述する。データ伝送スロットは、「データ受信時間＋ＳＩＦＳ＋ＡＣＫ伝送時間」に相当する長さ（データを受信することができる長さ）を有することができ、データ伝送スロットの長さは、前記説明に限定されず、設定によって多様な長さを有することができる。
【００９１】
段階Ｓ１４０で、アクセスポイント１０は、データ伝送要請によるデータを、データ伝送スロットを介して端末２０に伝送することができ、端末２０は、前記データ伝送スロットを介して伝送されるデータを受信することができる。例えば、データ伝送区間内の一番目のデータ伝送スロットが端末２０に割り当てられた場合、アクセスポイント１０は、データ伝送要請によるデータをデータ伝送区間内の一番目のデータ伝送スロットを介して端末２０に伝送することができ、端末２０は、データ伝送区間内の一番目のデータ伝送スロットを介して伝送されるデータを受信することができる。
【００９２】
段階Ｓ１５０で、端末２０は、自分に割り当てられたデータ伝送スロットを介してデータ受信による応答フレームをアクセスポイント１０に伝送することができ、アクセスポイント１０は、前記データ伝送スロットを介して伝送される応答フレームを受信することができる。
【００９３】
例えば、データ伝送区間内の一番目のデータ伝送スロットが端末２０に割り当てられた場合、端末２０は、データ伝送区間内の一番目のデータ伝送スロットを介してデータ受信による応答フレームをアクセスポイント１０に伝送することができ、アクセスポイント１０は、データ伝送区間内の一番目のデータ伝送スロットを介して伝送される応答フレームを受信することができる。ここで、データ受信による応答フレームは、ＡＣＫフレームを意味することができる。
【００９４】
図１２は、チャネルアクセス方法に対する一実施例を示す概念図である。図１２を参照すれば、ビーコンが伝送された時点から次のビーコンが伝送される時点までの時間区間をチャネルアクセス区間とデータ伝送区間とに区分することができる。チャネルアクセス区間は、端末がデータを受信する用意ができたか（すなわち、端末が解除されているか）を確認するための区間であって、少なくとも１つのチャネルアクセススロットＴＰで構成されてもよい。チャネルアクセススロットＴＰは、少なくとも１つの端末に割り当てられることができ、チャネルアクセススロットＴＰは、「Ｐｓ−Ｐｏｌｌ（または、Ｔｒｉｇｇｅｒ）フレーム伝送時間＋ＳＩＦＳ＋ＡＣＫ受信時間」に相当する長さを有することができる。
【００９５】
データ伝送区間は、データを受信する用意ができた端末にデータを伝送するための区間であって、少なくとも１つのデータ伝送スロットＴＤで構成され得る。データ伝送スロットＴＤは、１つの端末に割り当てられることができ、データ伝送スロットＴＤは、「データ受信時間＋ＳＩＦＳ＋ＡＣＫ伝送時間」に相当する長さを有することができる。
【００９６】
アクセスポイントＡＰは、ＴＩＭ（または、ＤＩＴＭ）情報を含むビーコンをブロードキャスティングすることができ、端末ＳＴＡ１、ＳＴＡ２は、アクセスポイントＡＰが伝送するビーコンを受信することができる。
【００９７】
端末１  ＳＴＡ１は、ＴＩＭ（または、ＤＴＩＭ）情報内に自分のＡＩＤに対応するビットが１に設定されていて、ＴＩＭ（または、ＤＴＩＭ）情報内で１に設定されたビットのうち自分のＡＩＤに対応するビット位置が一番目の場合、端末１  ＳＴＡ１は、チャネルアクセス区間内で一番目スロットを自分に割り当てられたスロットとして決定することができる。したがって、端末１  ＳＴＡ１は、チャネルアクセス区間内の一番目のチャネルアクセススロットＴＰを介してＰＳ−Ｐｏｌｌ（または、Ｔｒｉｇｇｅｒ）フレームをアクセスポイントＡＰに伝送することができ、ＰＳ−Ｐｏｌｌ（または、Ｔｒｉｇｇｅｒ）フレームの伝送によるＡＣＫフレームを一番目のチャネルアクセススロットＴＰを介してアクセスポイントＡＰから受信することができる。
【００９８】
端末２  ＳＴＡ２は、ＴＩＭ（または、ＤＴＩＭ）情報内に自分のＡＩＤに対応するビットが１に設定されていて、ＴＩＭ（または、ＤＴＩＭ）情報内で１に設定されたビットのうち自分のＡＩＤに対応するビット位置が二番目の場合、端末２  ＳＴＡ２は、チャネルアクセス区間内で二番目スロットを自分に割り当てられたスロットとして決定することができる。したがって、端末２  ＳＴＡ２は、チャネルアクセス区間内の二番目のチャネルアクセススロットＴＰを介してＰＳ−Ｐｏｌｌ（または、Ｔｒｉｇｇｅｒ）フレームをアクセスポイントＡＰに伝送することができ、ＰＳ−Ｐｏｌｌ（または、Ｔｒｉｇｇｅｒ）フレームの伝送によるＡＣＫフレームを二番目のチャネルアクセススロットＴＰを介してアクセスポイントＡＰから受信することができる。
【００９９】
アクセスポイントＡＰは、データ伝送要請に対応する（すなわち、ＰＳ−Ｐｏｌｌ（または、Ｔｒｉｇｇｅｒ）フレームの伝送に対応する）ＡＣＫフレーム伝送をする場合、データ伝送スロット割り当て情報を含むＡＣＫフレームをそれぞれの端末ＳＴＡ１、ＳＴＡ２に伝送することができる。
【０１００】
端末１  ＳＴＡ１は、ＡＣＫフレームに含まれたデータ伝送スロット割り当て情報がデータ伝送区間内で一番目のデータ伝送スロットＴＤが割り当てられたことを示す場合、一番目のデータ伝送スロットＴＤを介してアクセスポイントＡＰからデータを受信することができ、データ受信による応答フレーム（すなわち、ＡＣＫフレーム）を一番目のデータ伝送スロットＴＤを介してアクセスポイントＡＰに伝送することができる。
【０１０１】
端末２  ＳＴＡ２は、ＡＣＫフレームに含まれたデータ伝送スロット割り当て情報がデータ伝送区間内で二番目のデータ伝送スロットＴＤが割り当てられたことを示す場合、二番目のデータ伝送スロットＴＤを介してアクセスポイントＡＰからデータを受信することができ、データ受信による応答フレーム（すなわち、ＡＣＫフレーム）を二番目のデータ伝送スロットＴＤを介してアクセスポイントＡＰに伝送することができる。
【０１０２】
図１３は、チャネルアクセス方法によるスロット割り当てに対する一実施例を示す概念図である。図１３を参照すれば、低電力消耗特性を有する端末ＳＴＡ１、ＳＴＡ２、ＳＴＡ３、ＳＴＡ４と一般電力消耗特性を有する端末ＳＴＡ５、ＳＴＡ６、ＳＴＡ７が存在する場合、アクセスポイントは、チャネルアクセス区間内に低電力消耗特性を有する端末ＳＴＡ１、ＳＴＡ２、ＳＴＡ３、ＳＴＡ４のためのチャネルアクセススロットを先に割り当てて、引き続いて一般電力消耗特性を有する端末ＳＴＡ５、ＳＴＡ６、ＳＴＡ７のためのチャネルアクセススロットを割り当てることができる。この際、チャネルアクセススロットは、ビーコンのＴＩＭ（または、ＤＴＩＭ）情報で各端末のＡＩＤに対応するビットの位置に基づいて割り当てられることができる。
【０１０３】
ここで、チャネルアクセススロットは、「ＰＳ−Ｐｏｌｌ（または、Ｔｒｉｇｇｅｒ）フレーム伝送時間＋ＳＩＦＳ＋ＡＣＫ受信時間」に相当する長さを有することができ、チャネルアクセススロットの長さは、前記説明に限定されず、設定によって多様な長さを有することができる。
【０１０４】
具体的に、端末１  ＳＴＡ１は、チャネルアクセス区間内で一番目のチャネルアクセススロットを介してＰＳ−Ｐｏｌｌ（または、Ｔｒｉｇｇｅｒ）フレームをアクセスポイントに伝送することができ、端末２  ＳＴＡ２は、チャネルアクセス区間内で二番目のチャネルアクセススロットを介してＰＳ−Ｐｏｌｌ（または、Ｔｒｉｇｇｅｒ）フレームをアクセスポイントに伝送することができる。これと同一に、端末３  ＳＴＡ３は、三番目のチャネルアクセススロット、端末４  ＳＴＡ４は、四番目のチャネルアクセススロット、端末５  ＳＴＡ５は、五番目のチャネルアクセススロット、端末６  ＳＴＡ６は、六番目のチャネルアクセススロット、端末７  ＳＴＡ７は、七番目のチャネルアクセススロットを介してＰＳ−Ｐｏｌｌ（または、Ｔｒｉｇｇｅｒ）フレームをアクセスポイントに伝送することができる。
【０１０５】
それぞれの端末からＰＳ−Ｐｏｌｌ（または、Ｔｒｉｇｇｅｒ）フレームを受信したアクセスポイントは、ＰＳ−Ｐｏｌｌ（または、Ｔｒｉｇｇｅｒ）フレームに対応するＡＣＫフレームを、チャネルアクセススロットを介して当該端末に伝送することができ、ＡＣＫフレームは、端末のためのデータ伝送スロット割り当て情報を含む。アクセスポイントは、データ伝送区間内で低電力消耗特性を有する端末ＳＴＡ１、ＳＴＡ２、ＳＴＡ４のためのデータ伝送スロットを先に割り当てて、引き続き一般電力消耗特性を有する端末ＳＴＡ６のためのデータ伝送スロットを割り当てることができる。
【０１０６】
すなわち、アクセスポイントは、データ伝送区間内の一番目のデータ伝送スロットが端末１  ＳＴＡ１に割り当てられることを示すデータ伝送スロット割り当て情報を、ＡＣＫフレームを介して端末１  ＳＡＴ１に伝送することができ、データ伝送区間内の二番目のデータ伝送スロットが端末２  ＳＴＡ２に割り当てられることを示すデータ伝送スロット割り当て情報を、ＡＣＫフレームを介して端末２  ＳＴＡ２に伝送することができ、データ伝送区間内の三番目のデータ伝送スロットが端末４  ＳＴＡ４に割り当てられることを示すデータ伝送スロット割り当て情報を、ＡＣＫフレームを介して端末４  ＳＴＡ４に伝送することができ、データ伝送区間内の四番目のデータ伝送スロットが端末６  ＳＴＡ６に割り当てられることを示すデータ伝送スロット割り当て情報を、ＡＣＫフレームを介して端末６  ＳＴＡ６に伝送することができる。この際、端末３  ＳＴＡ３、端末５  ＳＴＡ５、端末７  ＳＴＡ７は、ＰＳ−Ｐｏｌｌ（または、Ｔｒｉｇｇｅｒ）フレームをアクセスポイントに伝送しなかったので、アクセスポイントは端末３  ＳＴＡ３、端末５  ＳＴＡ５、端末７  ＳＴＡ７のためのデータ伝送スロット割り当て情報を伝送しない。
【０１０７】
ここで、データ伝送スロットは、「データ受信時間＋ＳＩＦＳ＋ＡＣＫ伝送時間」に相当する長さを有することができ、データ伝送スロットの長さは、前記説明に限定されず、設定によって多様な長さを有することができる。
【０１０８】
チャネルアクセス区間以後、端末１  ＳＴＡ１は、データ伝送スロット割り当て情報に基づいてデータ伝送区間内の一番目のデータ伝送スロットを介してアクセスポイントからデータを受信し、データ受信によるＡＣＫフレームをアクセスポイントに伝送する。端末２  ＳＴＡ２は、データ伝送スロット割り当て情報に基づいてデータ伝送区間内の二番目のデータ伝送スロットを介してアクセスポイントからデータを受信し、データ受信によるＡＣＫフレームをアクセスポイントに伝送する。端末４  ＳＴＡ４は、データ伝送スロット割り当て情報に基づいてデータ伝送区間内の三番目のデータ伝送スロットを介してアクセスポイントからデータを受信し、データ受信によるＡＣＫフレームをアクセスポイントに伝送する。端末６  ＳＴＡ６は、データ伝送スロット割り当て情報に基づいてデータ伝送区間内の四番目のデータ伝送スロットを介してアクセスポイントからデータを受信し、データ受信によるＡＣＫフレームをアクセスポイントに伝送する。
【０１０９】
図１４は、チャネルアクセス方法によるスロット割り当てに対する他の実施例を示す概念図である。図１４を参照すれば、低電力消耗特性を有する端末ＳＴＡ１、ＳＴＡ２、ＳＴＡ３、ＳＴＡ４と一般電力消耗特性を有する端末ＳＴＡ５、ＳＴＡ６、ＳＴＡ７が存在する場合、アクセスポイントは、低電力伝送区間内で低電力消耗特性を有する端末ＳＴＡ１、ＳＴＡ２、ＳＴＡ３、ＳＴＡ４のための低電力伝送スロットを割り当てることができ、引き続き一般電力消耗特性を有する端末ＳＴＡ５、ＳＴＡ６、ＳＴＡ７のためのチャネルアクセススロットとデータ伝送スロットを順次に割り当てることができる。
【０１１０】
この際、低電力伝送スロットとチャネルアクセススロットは、ビーコンのＴＩＭ（または、ＤＴＩＭ）情報で各端末のＡＩＤに対応するビットの位置に基づいて設定され得、データ伝送スロットは、ＰＳ−Ｐｏｌｌ（または、Ｔｒｉｇｇｅｒ）フレームの受信によってアクセスポイントが伝送するデータ伝送スロット割り当て情報に基づいて設定され得る。
【０１１１】
ここで、低電力伝送スロットは、「ＰＳ−Ｐｏｌｌ（または、Ｔｒｉｇｇｅｒ）フレーム伝送時間＋ＳＩＦＳ＋データ受信時間＋ＳＩＦＳ＋ＡＣＫ伝送時間」に相当する長さを有することができ、低電力伝送スロットの長さは、前記説明に限定されず、設定によって多様な長さを有することができる。
【０１１２】
具体的に、端末１  ＳＴＡ１は、低電力伝送区間内で一番目の低電力伝送スロットを介してＰＳ−Ｐｏｌｌ（または、Ｔｒｉｇｇｅｒ）フレームをアクセスポイントに伝送し、ＰＳ−Ｐｏｌｌ（または、Ｔｒｉｇｇｅｒ）フレームの伝送によるデータをアクセスポイントから受信し、データ受信による応答（すなわち、ＡＣＫ）フレームをアクセスポイントに伝送する。端末２  ＳＴＡ２は、低電力伝送区間内で二番目の低電力伝送スロットを介してＰＳ−Ｐｏｌｌ（または、Ｔｒｉｇｇｅｒ）フレームをアクセスポイントに伝送し、ＰＳ−Ｐｏｌｌ（または、Ｔｒｉｇｇｅｒ）フレームの伝送によるデータをアクセスポイントから受信し、データ受信による応答（すなわち、ＡＣＫ）フレームをアクセスポイントに伝送する。
【０１１３】
端末３  ＳＴＡ３は、低電力伝送区間内で三番目の低電力伝送スロットを介してＰＳ−Ｐｏｌｌ（または、Ｔｒｉｇｇｅｒ）フレームをアクセスポイントに伝送しなかったので、アクセスポイントは、端末３  ＳＴＡ３のためのデータを伝送しない。端末４  ＳＴＡ４は、低電力伝送区間内で四番目の低電力伝送スロットを介してＰＳ−Ｐｏｌｌ（または、Ｔｒｉｇｇｅｒ）フレームをアクセスポイントに伝送し、ＰＳ−Ｐｏｌｌ（または、Ｔｒｉｇｇｅｒ）フレームの伝送によるデータをアクセスポイントから受信し、データ受信による応答（すなわち、ＡＣＫ）フレームをアクセスポイントに伝送する。
【０１１４】
低電力伝送区間以後、端末５  ＳＴＡ５は、チャネルアクセス区間内で一番目のチャネルアクセススロットを介してＰＳ−Ｐｏｌｌ（または、Ｔｒｉｇｇｅｒ）フレームをアクセスポイントに伝送することができる。これと同様に、端末６  ＳＴＡ６は、二番目のチャネルアクセススロット、端末７  ＳＴＡ７は、三番目のチャネルアクセススロットを介してＰＳ−Ｐｏｌｌ（または、Ｔｒｉｇｇｅｒ）フレームをアクセスポイントに伝送することができる。
【０１１５】
ここで、チャネルアクセススロットは、「ＰＳ−Ｐｏｌｌ（または、Ｔｒｉｇｇｅｒ）フレーム伝送時間＋ＳＩＦＳ＋ＡＣＫ受信時間」に相当する長さを有することができ、チャネルアクセススロットの長さは、前記説明に限定されず、設定によって多様な長さを有することができる。
【０１１６】
それぞれの端末からＰＳ−Ｐｏｌｌ（または、Ｔｒｉｇｇｅｒ）フレームを受信したアクセスポイントは、ＰＳ−Ｐｏｌｌ（または、Ｔｒｉｇｇｅｒ）フレームに対応するＡＣＫフレームを当該端末に伝送することができ、ＡＣＫフレームは、端末のためのデータ伝送スロット割り当て情報を含む。
【０１１７】
すなわち、アクセスポイントは、データ伝送区間内の一番目のデータ伝送スロットが端末５  ＳＴＡ５に割り当てられることを示すデータ伝送スロット割り当て情報を、ＡＣＫフレームを介して端末５（ＳＡＴ５）に伝送することができ、データ伝送区間内の二番目のデータ伝送スロットが端末７  ＳＴＡ７に割り当てられることを示すデータ伝送スロット割り当て情報を、ＡＣＫフレームを介して端末７  ＳＴＡ７に伝送することができる。この際、端末６  ＳＴＡ６は、ＰＳ−Ｐｏｌｌ（または、Ｔｒｉｇｇｅｒ）フレームをアクセスポイントに伝送しなかったので、アクセスポイントは、端末６  ＳＴＡ６のためのデータ伝送スロット割り当て情報を伝送しない。
【０１１８】
ここで、データ伝送スロットは、「データ受信時間＋ＳＩＦＳ＋ＡＣＫ伝送時間」に相当する長さを有することができ、データ伝送スロットの長さは、前記説明に限定されず、設定によって多様な長さを有することができる。
【０１１９】
チャネルアクセス区間以後、端末５  ＳＴＡ５は、データ伝送スロット割り当て情報に基づいてデータ伝送区間内の一番目のデータ伝送スロットを介してアクセスポイントからデータを受信し、データ受信によるＡＣＫフレームをアクセスポイントに伝送する。端末７  ＳＴＡ７は、データ伝送スロット割り当て情報に基づいてデータ伝送区間内の二番目のデータ伝送スロットを介してアクセスポイントからデータを受信し、データ受信によるＡＣＫフレームをアクセスポイントに伝送する。
【０１２０】
以上、実施例を参照して説明したが、当該技術分野の熟練された当業者は、下記の特許請求の範囲に記載した本発明の思想及び領域を逸脱しない範囲内で本発明を多様に修正及び変更させることができることを理解することができる。
【符号の説明】
【０１２１】
１０  アクセスポイントＡＰ
２０  端末ＳＴＡ
【図１】
0005925964.tif 000002
【図２】
0005925964.tif 000003
【図３】
0005925964.tif 000004
【図４】
0005925964.tif 000005
【図５】
0005925964.tif 000006
【図６】
0005925964.tif 000007
【図７】
0005925964.tif 000008
【図８】
0005925964.tif 000009
【図９】
0005925964.tif 000010
【図１０】
0005925964.tif 000011
【図１１】
0005925964.tif 000012
【図１２】
0005925964.tif 000013
【図１３】
0005925964.tif 000014
【図１４】
0005925964.tif 000015